(57)【要約】  注ぎ出し後にコップ等の容器内で攪拌等を行うことなく、浄水中に添加物が均一に混合した混合液を得ることができるポット型の浄水器を提供すること。  本発明のポット型の浄水器は、内部空間２を有し上部に開口４を有する本体容器６と、内部空間の上部に設けられた原水貯留部１２と、原水貯留部に連通して設けられた浄水カートリッジ１４と、浄水カートリッジの下方に設けられ浄水カートリッジで濾過された浄水を収容する浄水貯留部１６と、浄水貯留部内の浄水の注ぎ口２４と、本体容器に設けられ前記浄水を攪拌する攪拌手段２８と、を備えている浄水器である。
2014014088.tif 000002
【特許請求の範囲】
【請求項１】
ポット型の浄水器であって、
内部空間を有し上部に開口を有する本体容器と、
前記内部空間の上部に設けられた原水貯留部と、
該原水貯留部に連通して設けられた浄水カートリッジと、
前記浄水カートリッジの下方に設けられ前記浄水カートリッジで濾過された浄水を収容する浄水貯留部と、
前記浄水貯留部内の浄水の注ぎ口と、
前記本体容器に設けられ前記浄水を攪拌する攪拌手段と、を備えている、
浄水器。
【請求項２】
前記攪拌手段が、前記浄水貯留部と注ぎ口との間に設けられている、
請求項１に記載の浄水器。
【請求項３】
前記攪拌手段が、前記浄水貯留部から前記注ぎ口に向けて断面積が狭くなっていくインラインミキサによって構成されている、
請求項２に記載の浄水器。
【請求項４】
前記攪拌手段が、前記浄水貯留部内に設けられている、
請求項１に記載の浄水器。
【請求項５】
前記攪拌手段が、回転羽根を備えている、
請求項４に記載の浄水器。
【請求項６】
前記攪拌手段が、棒状部材および該棒状部材の下端に連結された攪拌板を備えている、
請求項４に記載の浄水器。
【請求項７】
前記棒状部材が、前記浄水貯留部の前記注ぎ口とは反対側の位置に配置されている、
請求項６に記載の浄水器。
【請求項８】
前記攪拌板が前記浄水カートリッジに衝突するのを防止するための衝突防止部材を備えている、
請求項６または７に記載の浄水器。
【請求項９】
前記浄水カートリッジの下方側に、逆流軽減手段を備えている、
請求項１〜８のいずれか１項に記載の浄水器。
【請求項１０】
前記逆流軽減手段が逆止弁を備えている、
請求項９に記載の浄水器。
【請求項１１】
混合液の液跳ね防止手段を備えている、
請求項１〜１０のいずれか１項に記載の浄水器。
【請求項１２】
前記混合液の液跳ね防止手段が邪魔板を備えている、
請求項１１に記載の浄水器。
【請求項１３】
一枚の邪魔板が他方の邪魔板を覆っている、
請求項１１または請求項１２に記載の浄水器。
【請求項１４】
筒状の添加物収納容器と該添加物収納容器の一端部に設けられ添加物供給口を有するノズルとを有し、添加物を前記浄水貯留部内に添加する、添加手段を備えている、
請求項１〜１３のいずれか１項に記載の浄水器。
【請求項１５】
前記開口を開閉自在に閉鎖する蓋を備えている、
請求項１〜１４のいずれか１項に記載の浄水器。
【発明の詳細な説明】
【技術分野】
【０００１】
本発明は、概略的には浄水器に関し、詳細には、原水貯留部内の原水を浄化カートリッジで浄化して浄水（濾過水）とし、この浄水を下部の浄水貯留部に貯留する所謂ポット型の浄水器に関する。
【背景技術】
【０００２】
このようなポット型の浄水器には、濾過済みの水（浄水）に、風味、物性、機能性等を付加するために添加物を添加できるような構成を備えたものがある。風味、物性を付加するための添加物としては、飲料水の素（液体、粉末）などの調味料、茶葉、香料、氷などが、機能性を付与するものとしては、香料、薬草、サプリメントなどが挙げられる。【０００３】
このようなポット型の浄水器として、例えば、特許文献１に開示されている浄水器が知られている。この特許文献１の浄水器では、浄水器の一部領域内に飲用液（添加物が混入された液体）の貯留領域が設けられ、この貯留領域内の飲用液を、注ぎ出し時に浄化水（浄水）の排出経路内を流れる浄化水に混入させることにより、添加物入りの浄水（混合液）を供給している。
【先行技術文献】
【特許文献】
【０００４】
【特許文献１】特開２００５-３２９２７６号公報
【発明の概要】
【発明が解決しようとする課題】
【０００５】
しかし、上記特許文献１の浄水器は、浄水の排出経路で浄水に添加物が混入される構成であるので、浄水器から容器に混合液を注ぎ出した時点では、混合液中で、添加物が均一に混合していなかった。
このため、均一な混合液を得るためには、コップ等の容器内で混合液を攪拌する等の操作が必要であり、煩雑であった。【０００６】
本発明は、このような問題に対処するためになされたものであり、注ぎ出し後にコップ等の容器内で攪拌等を行うことなく、浄水中に添加物が均一に混合した混合液を得ることができるポット型の浄水器を提供することを目的とする。
【課題を解決するための手段】
【０００７】
本発明によれば、ポット型の浄水器であって、内部空間を有し上部に開口を有する本体容器と、前記内部空間の上部に設けられた原水貯留部と、該原水貯留部に連通して設けられた浄水カートリッジと、前記浄水カートリッジの下方に設けられ前記浄水カートリッジで濾過された浄水を収容する浄水貯留部と、前記浄水貯留部内の浄水の注ぎ口と、前記本体容器に設けられ前記浄水を攪拌する攪拌手段と、を備えている、ことを特徴とする浄水器が提供される。【０００８】
このような構成によれば、
浄水を攪拌する攪拌手段が浄水器に設けられているので、浄水貯留部内に添加された添加物が浄水器内で浄水に均一に混合される。【０００９】
本発明の他の好ましい態様によれば、前記攪拌手段が、前記浄水貯留部と注ぎ口との間に設けられている。
このような構成によれば、浄水器から浄水を注ぎ出す際に、浄水貯留部内に添加された添加物が浄水に均一に混合される。【００１０】
本発明の他の好ましい態様によれば、前記攪拌手段が、前記浄水貯留部から前記注ぎ口に向けて断面積が狭くなっていくインラインミキサによって構成されている。【００１１】
本発明の他の好ましい態様によれば、前記攪拌手段が、前記浄水貯留部内に設けられている。
このような構成によれば、浄水貯留部内で、浄水貯留部内に添加された添加物が浄水に均一に混合される。【００１２】
本発明の他の好ましい態様によれば、前記攪拌手段が、回転羽根を備えている。【００１３】
本発明の他の好ましい態様によれば、前記攪拌手段が、棒状部材および該棒状部材の下端に連結された攪拌板を備えている。【００１４】
本発明の他の好ましい態様によれば、前記棒状部材が、前記浄水貯留部の前記注ぎ口とは反対側の位置に配置されている。【００１５】
このような構成によれば、容易に攪拌することができ、また、浄水を注ぐ際に、前記棒状部材が邪魔にならずに注ぐことができる。【００１６】
本発明の他の好ましい態様によれば、前記攪拌板が前記浄水カートリッジに衝突するのを防止するための衝突防止部材を備えている。【００１７】
このような構成によれば、攪拌する際に、前記攪拌板が前記浄水カートリッジに衝突するのを防止することができる。【００１８】
本発明の他の好ましい態様によれば、
前記浄水カートリッジの下方側に、逆流軽減手段を備えている。
本発明の他の好ましい態様によれば、
前記逆流軽減手段が逆止弁を備えている。【００１９】
本発明の他の好ましい態様によれば、
混合液の液跳ね防止手段を備えている。【００２０】
本発明の他の好ましい態様によれば、
前記混合液の液跳ね防止手段が邪魔板を備えている。【００２１】
本発明の他の好ましい態様によれば、前記浄水カートリッジの下方側に、邪魔板を備えている。
このような構成によれば、浄水貯留部内の添加物が添加された浄水すなわち添加物入りの浄水（混合液）が、原水貯留部に流れ込みにくく、浄水カートリッジの原水浄化能力が低下することを抑制できる。【００２２】
本発明の他の好ましい態様によれば、筒状の添加物収納容器と該添加物収納容器の一端部に設けられ添加物供給口を設けたノズルとを有し、添加物を浄水貯留部内に添加する、添加手段を備えている。
このような構成によれば、容易に前記添加物を前記浄水貯留部内に添加することができる。【００２３】
本発明の他の好ましい態様によれば、前記開口を開閉自在に閉鎖する蓋を備えている。
このような構成によれば、ごみ等が浄水器内に混入するのを防ぐことができ、また、浄水器を傾ける際に、水がこぼれるのを防ぐことができる。
【発明の効果】
【００２４】
本発明によれば、注ぎ出し後にコップ等の容器内で攪拌等を行うことなく、浄水中に、添加物が均一に混合した混合液を得ることができるポット型の浄水器が提供される。
【図面の簡単な説明】
【００２５】
【図１】本発明の第１の実施形態の浄水器の構成を示す模式的な断面図である。
【図２】図１の実施形態の浄水器で使用される逆止弁の一例であるアンブレラー弁の断面構造を示す図である。
【図３】図１の実施形態の浄水器で使用される逆止弁の他の例であるダックビル弁の断面構造を示す図である。
【図４】図１の実施形態の浄水器の変形例の構成を示す模式的な断面図である。
【図５】図１の実施形態の浄水器の変形例の構成を示す模式的な断面図である。
【図６】本発明の第２の実施形態の浄水器の構成を示す模式的な断面図である。
【図７】本発明の第３の実施形態の浄水器の構成を示す模式的な断面図である。
【図８】本発明の第４の実施形態の浄水器の構成を示す模式的な断面図である。
【図９】本発明の第５の実施形態の浄水器の構成を示す模式的な断面図である。
【図１０】図９の実施形態の浄水器で使用される添加物収納容器を概略的に示す図面である。
【発明を実施するための形態】
【００２６】
以下、図面を参照して、本発明の好ましい実施形態の浄水器について説明する。図１は、本発明の第１の実施形態のポット型浄水器１の構成を示す模式的な断面図である。
【００２７】
浄水器１は、原水貯留部内の原水を浄化カートリッジで浄化して濾過済みの水（浄水）とし、この浄水を下部の浄水貯留部に貯留しておく所謂ポット型の浄水器であり、浄水貯留部の浄水に、風味、物性を付加するための添加物を混合して使用する用途に適したものである。
【００２８】
図１に示されているように、浄水器１は、内部空間２を有し上部に開口４を有する有底円筒の本体容器６を備えている。本体容器６の上部の開口４は、蓋８によって開閉自在に閉鎖されている。このような蓋８によれば、ごみ等が浄水器内に混入するのを防ぐことができ、また、浄水器を傾ける際に、水がこぼれるのを防ぐことができる。
【００２９】
本実施態様では、本体容器６の内部空間２の底部が、角をなくした緩やかな凹型形状とされている。この構造によって、添加物が内部空間２の底部の角に偏在し、浄水との均一な混合が困難になることが防止される。
【００３０】
内部空間２の上部には、上方に向かって開口した箱状の内側部材である仕切部１０が取付けられ、仕切部１０の内部が、濾過前の水である原水を収容する原水貯留部１２とされている。本実施態様の浄水器１では、仕切部１０は、本体容器６の内側に着脱自在に取付けられる構造を有している。
【００３１】
また、仕切部１０の下端には、原水貯留部１２と連通し原水貯留部１２内の原水を濾過する浄水カートリッジ１４が嵌合されている。さらに、内部空間２の浄水カートリッジ１４の下方側は、浄水カートリッジ１４で濾過された浄水を収容する浄水貯留部１６とされている。
【００３２】
浄水貯留部１６の容量は、持ち運び時の利便性、冷蔵庫への収容性を考慮し、５Ｌ以下であることが好ましく、２Ｌ以下であることがより好ましい。また、一度に使用可能な浄水の量が少なくなり過ぎないよう、浄水貯留部１６の容量０．５Ｌ以上であることが好ましい。
【００３３】
浄水カートリッジ１４は、従来からポット型の浄水器で使用されている浄水カートリッジと同一構造を有する公知のカートリッジであり、上端に、図示しない空気排出筒を有し、空気排気筒の外周側面には、原水流入口が設けられている。また、空気排気筒の頂部には、空気排出穴が設けられている。
【００３４】
本実施態様では、浄水カートリッジ１４では、繊維状濾材、粒状濾材、および膜のうちの少なくとも１つが筒状容器内部に濾材として収納され、水道水などの原水中の残留塩素、細菌、あるいは鉄錆などの微粒子を除去する。
【００３５】
濾材を収納する方法としては、個別の円筒部材に１種類の濾材を収納し、これを組み合わせて一体化する方法、１つの円筒状の部材に２種類以上の濾材をまとめて収納する方法等が用いられる。
【００３６】
繊維状濾材は、濾過を妨げる空気溜まりが形成され難くするため、粒状濾材より下流に配置することが好ましい。
また、繊維状濾材を粒状濾材の下流に配置すると、繊維状濾材が粒状濾材からの微粉流出を抑制するフィルターを兼ね、粒状濾材の下流側に別途フィルターを配さなくともよくなるため、浄水カートリッジの構造をさらにシンプルかつコンパクトにでき好ましい。
【００３７】
なお、輸送中や濾過中に繊維状濾材がずれたり抜け落ちたりしない様に、繊維状濾材の上下に支持部材を配し、筒状容器内に固定する構成が好ましい。
【００３８】
また、繊維状濾材周囲の少なくとも一部を、不織布、焼結材、ナイロンメッシュなどで覆うと、繊維状濾材の形状が保持され取り扱いが簡便になり、加工がしやすく、また、フィルターとしての効果も高まる。繊維状濾材は、イオン交換繊維を含むことが好ましい。
【００３９】
粒状濾材としては、活性炭、ゼオライト、モレキュラーシーブ、コーラルサンド、骨炭、ヒドロキシアパタイト、珪酸チタニウムなどが使用される。
【００４０】
活性炭は、形状は限定されず、粉末炭、粒状炭、繊維状炭、破砕炭、ビーズ状炭、ハニカム状炭、成形炭などが用いられる。
【００４１】
また、粒状濾材と繊維状濾材の更に下流側に鉄錆などの微粒子や細菌などが除去可能な膜を配置してもよい。膜としては、平膜、中空糸膜、チューブラー膜などが用いられる。
【００４２】
浄水カートリッジ１４の下流側には、逆流軽減手段が取付けられ、浄水貯留部１６内の添加物が添加された浄水すなわち添加物入りの浄水（混合液）が、原水貯留部１２に流れ込み、浄水カートリッジ１４の原水浄化能力が低下することが抑制されている。
【００４３】
逆流軽減手段としては、逆止弁や混合溶液の液跳ね防止手段などが使用される。
【００４４】
逆止弁としては、図２に示されているようなアンブレラー弁２０や、図３に示されているようなダックビル弁２２が使用される。
【００４５】
液跳ね防止手段として、図４および図５に示されているような邪魔板１９、１９’を備えた構造を採用してもよい。
【００４６】
図４および図５に示されているように、邪魔板１９、１９’は、浄水カートリッジ１４の下方に所定距離をおいて、浄水カートリッジ１４の浄水出口を下方から覆うように配置されている。
【００４７】
この邪魔板１９、１９’により、外部からの振動または本体容器６を傾ける動作などによって、浄水カートリッジ１４に向かって跳ね上がった本体容器６内の液体が、浄水出口を通して浄水カートリッジ１４内に直接浸入することを防ぐことができる。
【００４８】
図４に示されている邪魔板１９は、一枚の邪魔板が他方の邪魔板を覆う形になっており、持ち運ぶ際に浄水貯留部１６内の混合液がどの方向に揺れても、混合液が浄水出口を通して浄水カートリッジ１４内に流れ込みにくい。
【００４９】
また、図５に示されている邪魔板１９’は、浄水貯留部１６内の混合液を注ぎ口２４からコップ等に注ぐ際に、浄水貯留部１６内の混合液が浄水カートリッジ１４内に流れ込みにくく、かつ、構造がシンプルなため、洗浄が容易でありメンテナンス性に優れる。
【００５０】
また、本体容器６の上部には、一端側に、浄水貯留部１６内の混合液を注ぎ出すための注ぎ口２４が形成され、他端側に、取っ手２６が設けられている。
【００５１】
本体容器６、蓋８、仕切部１０、逆流軽減手段１８等の材質として、ＡＢＳ樹脂、ポリカーボネート樹脂、メタクリル樹脂、ポリプロピレン、ポリスチレン、ＭＳ樹脂、ナイロン樹脂、ポリ−４−メチルペンテン−１などの樹脂および、ステンレス、鍍金加工が施された鉄などの金属が挙げられる。具体的には、機械的強度、表面外観、成型加工性、機能性などを加味して選択されるが、内容物を外部から目視できるように透明であることが好ましい。また、本体容器６に、抗菌性を付与してもよい。
【００５２】
本実施態様の浄水器１は、さらに、浄水貯留部１６内の混合液を、注ぎ口２４からの注ぎ出し前に攪拌する攪拌手段である、インライン式ミキサー２８を備えている。浄水器１では、インライン式ミキサー２８は、本体容器６の内部空間２６の底部、すなわち浄水貯留部１６の底部から注ぎ口２４に向かって延びるように配置され、注ぎ口２４から流出する混合液の全量が通過する流路を形成している。
【００５３】
本実施態様では、インライン式ミキサー２８は、入水口３０から出水口３２に向けて、断面積が縮小していく漏斗形状を有している。インライン式ミキサー２８は、駆動部の無い、いわゆる静止型混合手段であり、内部にエレメントを有し、エレメントにより順次攪拌混合される。エレメントの形状は、例えば長方形の板を、長手方向中心軸線を中心にして１８０度ねじった形状などが挙げられる。
【００５４】
この構造により、インライン式ミキサー２８内を通過する液体の流速、混合効率、混合液が注ぎ出る際の流速が増加され、浄水貯留部１６内に添加された添加物が、浄水カートリッジ１４によって濾過された浄水中に均一に混合される。
【００５５】
本実施態様では、本体容器６、蓋８、仕切部１０、浄水カートリッジ１４、攪拌手段２８は相互に着脱可能に構成されている。
【００５６】
次に、浄水器１の使用方法について説明する。まず、蓋８、仕切部１０を本体容器６から取り外し、添加物を本体容器６の浄水貯留部１６内に添加する。
【００５７】
なお、添加物としては、風味、物性、機能性を濾過水に付与する物質が挙げられる。風味、物性を付加するための添加物としては、飲料水の素（液体、粉末）などの調味料、茶葉、香料、氷などが、機能性を付与するものとしては、香料、薬草、サプリメントなどが挙げられる。
【００５８】
次に、仕切部１０を本体容器６に取付け、水道水等の原水を仕切部１０の原水貯留部１２に注入し、蓋８を閉める。
【００５９】
仕切部１０の原水貯留部１２に注入された原水は、浄水カートリッジ１４の空気排出筒の側面外周の原水流入口から浄水カートリッジ１４内に流入し、濾材によって濾過された後、本体容器６の浄水貯留部１６に落下し、濾過された水すなわち浄水として貯留される。
【００６０】
濾過の際、浄水カートリッジ１４内の空気は、空気排気穴から大気中に排出されるため、原水貯留部１２内の原水は空気抵抗を受けることなく、最高の透過速度で浄水貯留部１６に落下し、浄水貯留部１６内に添加された添加物と混合され貯留される。
【００６１】
そして、添加物入りの浄水（混合液）を飲用等する場合には、浄水器１を傾け、浄水貯留部１６に貯留されている混合液を、注ぎ口２４からコップ等に注ぎ出す。この際、混合液は、全量が、インライン式ミキサー２８によって構成された流路を通過し、流路通過時に、インライン式ミキサー２８の作用で、浄水に対する添加物の混合が促進され、浄水中に添加物が均一に混合した混合液として流出する。
【００６２】
次に、本発明の他の好ましい実施形態の浄水器について説明する。
図６は、本発明の第２の実施形態の浄水器４０の構成を示す模式的な断面図である。図６から明らかなように、浄水器４０は、攪拌手段の具体的構成以外は、第１の実施形態の浄水器１と同一の構成を備えている。
【００６３】
以下、相違点を中心に、浄水器４０の構成を説明する。浄水器４０は、攪拌手段として、浄水器１のインライン式ミキサー２８に代えて、手動攪拌器４２を備えている。手動攪拌器４２は、蓋８に形成された孔８ａを貫通して浄水貯留部１６の底部付近まで延びる棒状部材４４と、棒状部材４４の下端に連結された攪拌板４６とを備えている。攪拌板４６には、複数の開口４８が形成されている。
【００６４】
図６のように、攪拌板４６は、内部が中空となった略半球形状であり、棒状部材４４は、略円柱状であることが好ましい。
また、本実施態様では、本体容器６の内部空間は、６５〜３１０ｍｍ程度の内径または幅と、１５０〜３１０ｍｍ程度の深さを有している。そして、攪拌板４６の最大外径は、１００〜１４０ｍｍであり、棒状部材４４の長さは、２００〜３６０ｍｍであることが好ましい。
【００６５】
このような構成によれば、攪拌板４６で本体容器６を傷つけることなく、効果的に攪拌することができ、また、棒状部材４４を容易に持つことができ、効率よく攪拌を行うことができる。
【００６６】
このような構成によれば、添加物入りの浄水（混合液）の注ぎ出しに先立って、棒状部材４４の上端４４ａを把持し、手動攪拌器４２を上下動させることで、浄水貯留部１６内の混合液を攪拌し、浄水貯留部１６内に添加された添加物を浄水中に均一に混合させることできる。この状態で、浄水器４０を傾けることにより、浄水中に添加物が均一に混合した混合液が注ぎ口２４から流出させられる。
また、棒状部材４４が、浄水貯留部１６内の注ぎ口２４とは径方向に反対側の位置に配置されていることが好ましい。このような構成によれば、容易に攪拌することができ、また、浄水を注ぐ際に、棒状部材が邪魔にならない。
【００６７】
上記第２の実施形態では、手動攪拌器４２は、棒状部材と攪拌板とを備えていたが棒状部材のみを備えた構成でもよい。
【００６８】
また、本実施形態では、攪拌板４６が浄水カートリッジ１４に衝突するのを防止するための衝突防止部材が設けられていることが好ましい。図６のように、棒状部材４４と本体容器６の両方に、それぞれ、衝突防止部材４４ａ、６ａが設けられていることがより好ましい。
例えば、棒状部材側衝突防止部材４４ａは、棒状部材４４の外周に嵌合した直径が４〜２０ｍｍのリング状であり、本体容器側衝突防止部材６ａは、棒状部材４４が挿通される開口を有する幅２２〜３０ｍｍの直方体形状の部材であり、棒状部材側衝突防止部材４４ａが下方側に位置するように、本体容器６の内壁に取り付けられている、衝突防止部材６ａ、４４ａの材料としては、ＡＢＳ樹脂、塩化ビニル樹脂、ポリスチレン、ポリエチレンやポリプロピレンなどのポリオレフィンなどが使用される。
【００６９】
このような構成によれば、棒状部材４４がある程度の高さまで引き上げられると、棒状部材側衝突防止部材４４ａが本体容器側衝突防止部材と衝突し、棒状部材４４はそれより上方には上がらない。この結果、攪拌の等際、攪拌板４６が過度に上昇し、浄水カートリッジ１４に衝突するのを防止することができる。
【００７０】
次に、本発明の他の好ましい実施形態の浄水器について説明する。
図７は、本発明の第３の実施形態の浄水器５０の構成を示す模式的な断面図である。図７から明らかなように、浄水器５０も、攪拌手段の具体的構成以外は、第１の実施形態の浄水器１および第２の実施形態の浄水器４０と同一の構成を備えている。
【００７１】
以下、相違点を中心に、浄水器５０の構成を説明する。浄水器５０は、攪拌手段として、浄水器１のインライン式ミキサー２８および、手動回転攪拌器５２を備えている。手動回転攪拌器５２は、浄水貯留部１６の底面中央に配置された手動回転羽根５４を備えている。本実施形態では、攪拌手段としてインライン式ミキサー２８および手動回転攪拌器５２を備えているが、手動回転攪拌器５２のみでもよい。
【００７２】
手動回転羽根５４は、取っ手２６の裏側に設けられた操作レバー５６を手動操作することによって回転駆動され、浄水貯留部１６内の添加物入りの浄水（混合液）を攪拌するように構成されている。
具体的には、浄水器５０では、回転羽根５４と操作レバー５６を接続する操作ワイヤ５８が、複数の滑車６０を介して本体容器６に配置され、操作レバ−５６を手動で操作すると、その動きが操作ワイヤ５８によって回転羽根５４の回転駆動部６２に伝達され、手動回転羽根５４が回転駆動される。
【００７３】
このような構成によれば、混合液の注ぎ出しに先立って、或いは注ぎ出しと同時に、操作レバー５６を操作して、手動回転羽根５４を回転駆動させることによって、添加物をより均一に浄水中に混合させられる。
【００７４】
また、本体容器６の底面部が、角をなくした緩やかな凹型形状であるので、少量の浄水に添加物を混合する際に、手動回転羽根５４の回転に伴って浄水貯留部１６内で生じる混合液の飛散が軽減される。
【００７５】
そして、浄水貯留部１６に貯留されている混合液を、注ぎ口２４からコップ等に注ぎ出す際には、混合液は、全量が、インライン式ミキサー２８によって構成された流路を通過し、流路通過時に、インライン式ミキサー２８の作用で、浄水に対する添加物の混合が促進され、浄水中に添加物が均一に混合した混合液として浄水器５０から流出する。
【００７６】
操作レバー５６が取っ手２６の裏側に設けられているので、収納の際など、操作レバー５６が周囲の物体と接触することで誤操作が生じることを防止可能となる。
【００７７】
さらに、片手で浄水器を持ち上げた状態で、操作レバー５６を操作することが可能となり、また、例えば、溶解し難い添加物を用いた場合でも、片手で操作レバー５６を操作しながらコップなどの容器に混合液を注ぐことで浄水中に添加物がさらに均一に混合した混合液を得ることが可能となる。
【００７８】
上記第３の実施形態では、手動回転羽根５４は、手動で動かされる操作レバーを動力源として回転駆動される構成であったが、ぜんまい仕掛け、磁石の反発および吸引力、ゴムの伸縮力などを非電力の駆動力として回転駆動される構成でもよい。
【００７９】
次に、本発明のもう一つの好ましい実施形態の浄水器について説明する。
図８は、本発明の第４の実施形態の浄水器７０の構成を示す模式的な断面図である。図８から明らかなように、浄水器７０も、回転羽根の駆動方式以外は、第３の実施形態の浄水器５０と同一の構成を備えている。
【００８０】
以下、相違点を中心に、浄水器７０の構成を説明する。浄水器７０は、浄水器５０の手動回転攪拌器５２に代えて、電動回転攪拌器７２を備えている。電動回転攪拌器７２も、手動攪拌機５２と同様に浄水貯留部１６の底面中央に配置された、電動回転羽根７４を備えている。
【００８１】
具体的には、浄水器７０では、電動回転羽根７４とスイッチ７６を接続する電線７８が本体容器６に配置され、取っ手２６の裏側に設けられたスイッチ７６を操作すると、本体容器６に内蔵された電源８０および駆動源８２によって、電力が電動回転羽根７４の回転駆動部６２に供給され、電動回転羽根７４が回転駆動される。
【００８２】
電源として、携帯用のバッテリー、乾電池などの電源コードを有さない携帯可能な形態のものが好ましい。しかしながら、アダプターなどを介して家庭用電源を電源とする構成でもよい。この場合、本体容器に伝わせた電気配線によって電力が電動回転羽根７４の回転駆動部６２に供給され、電動回転羽根７４が回転駆動される。
【００８３】
スイッチ７６の形状は、ボタン型やレバー型が好ましい。これによって小さな力で操作することが可能となる。
【００８４】
このような構成によれば、添加物が混合されている浄水すなわち混合液の注ぎ出しに先立って、或いは注ぎ出しと同時に、スイッチ７６を操作して、電動回転羽根７４を回転駆動させることによって、添加物がより均一に浄水に混合させられる。
【００８５】
電動回転羽根７４を用いることで、より効率よく均一な混合液を得ることが可能となる。このため、高粘度の物質や分散しにくい物質などを、迅速かつ均一に浄水と混合することも可能となる。
【００８６】
スイッチ７６が取っ手２６の裏側に設けられているので、収納の際など、スイッチ７６が周囲の物体と接触することで誤操作が生じることを防止可能となる。
【００８７】
さらに、片手で浄水器を持ち上げた状態で、スイッチ７６を操作することが可能となり、また、例えば、溶解し難い添加物を用いた場合でも、片手でスイッチ７６を操作しながらコップなどの容器に混合液を注ぐことで、浄水中に添加物が均一に混合した混合液を得ることが可能となる。
【００８８】
そして、浄水貯留部１６に貯留されている混合液を、注ぎ口２４からコップ等に注ぎ出す際には、混合液は、全量が、インライン式ミキサー２８によって構成された流路を通過し、流路通過時に、インライン式ミキサー２８の作用で、浄水に対する添加物の混合が促進され、浄水中に添加物がさらに均一に混合した混合液として浄水器７０から流出する。
【００８９】
次に、本発明のもう一つの好ましい実施形態の浄水器について説明する。
図９は、本発明の第５の実施形態の浄水器９０の構成を示す模式的な断面図である。図９から明らかなように、浄水器９０は、第１の実施形態の浄水器１と同一の構成を備えている。
【００９０】
以下、相違点を中心に、浄水器９０の構成を説明する。浄水器９０は、添加物を浄水貯留部１６内に供給する添加手段を備えている点で、浄水器１と異なっている。
【００９１】
添加手段は、添加物を収容する添加物収納容器９２と、添加材収納容器９２から所定量の添加物を供給させる供給機構９４とを備えている。図１０に示されているように添加物収納容器９２は、一端が開口し添加物を収容する容器本体９６と、容器本体９６の開口部に取付けられたノズル９８とを備えている。容器本体９６は、ポリエチレン、ポリプロピレン、塩化ビニル樹脂などの硬質樹脂で形成され、側壁に可撓性を有することが好ましい。また、ノズル９８は、ポリエチレン、ポリプロピレン、塩化ビニル樹脂、ＡＢＳ樹脂などで形成されている。
【００９２】
添加物収納容器９２は、容器本体９６内に所定の添加物が充填され、ノズル９８が下方に向けられた状態で浄水貯留部１６の内周面に取付けられる。尚、ノズル９８は、容器本体９６の側壁が外部から押圧される等して容器本体９６の内圧が上昇すると、容器本体９６内の添加物を吐出できるように構成されている。
【００９３】
供給機構９４は、取っ手２６に設けられたレバー１００と、レバー１００の作動によって容器本体９６の側壁を押圧する押圧機構１０２を備えている。図９に示されているように、押圧機構１０２は、ピボット１０４を中心に揺動可能に設けられた略Ｕ字状の作動部材１０６を備えている。作動部材１０６は、一端１０６ａがレバー１００に連結され、他端１０６ｂが容器本体９６の側壁の側方に位置するように配置されている。
【００９４】
このような構成によれば、使用者が、レバー１００の下方部分を浄水器９０の外側方向に引くことにより、作動部材１０６が、ピボット１０４を中心に矢印Ａ方向に回動し、作動部材１０６の他端１０６ｂが、添加物を収容した容器本体９６の側壁を押圧する。この結果、容器本体９６の内圧が上昇し、容器本体９６内の添加物が、ノズル９６を通して吐出される。したがって、容易に添加物を浄水貯留部内に添加することができることができる。
【００９５】
また、ノズルの添加物供給口を、ノズルの側壁に設けてもよい。このような構成によれば、添加物収納容器を横向きに設置しても、容易に添加物を浄水貯留部内に添加することができることができる。
【００９６】
本発明は、前記実施形態に限定されることなく、特許請求の範囲に記載された技術的思想の範囲内で種々の変更、変形が可能である。
【符号の説明】
【００９７】
１：浄水器
２：内部空間
４：開口
６：本体容器
８：蓋
１０： 仕切部
１２：原水貯留部
１４：浄水カートリッジ
１６：浄水貯留部
１８：逆止弁
１９：邪魔板
１９´：邪魔板
２０：アンブレラー弁
２２：ダックビル弁
２８：インライン式ミキサー
４２：手動攪拌器
４４：棒状部材
４６：攪拌板
４８：開口
５２：手動回転攪拌器
５４：回転羽根
５６：操作レバー
５８：操作ワイヤ
６２：回転駆動部
７２：電動回転攪拌器
７４：電動回転羽根
７６：スイッチ
７８：電線
８０：電源
８２：駆動源
【図１】
2014014088.tif 000003
【図２】
2014014088.tif 000004
【図３】
2014014088.tif 000005
【図４】
2014014088.tif 000006
【図５】
2014014088.tif 000007
【図６】
2014014088.tif 000008
【図７】
2014014088.tif 000009
【図８】
2014014088.tif 000010
【図９】
2014014088.tif 000011
【図１０】
2014014088.tif 000012
【手続補正書】
【提出日】平成26年8月12日(2014.8.12)
【手続補正１】
【補正対象書類名】特許請求の範囲
【補正対象項目名】全文
【補正方法】変更
【補正の内容】
【特許請求の範囲】
【請求項１】
ポット型の浄水器であって、
内部空間を有し上部に開口を有する本体容器と、
前記内部空間の上部に設けられた原水貯留部と、
該原水貯留部に連通して設けられた浄水カートリッジと、
前記浄水カートリッジの下方に設けられ前記浄水カートリッジで濾過された浄水を収容する浄水貯留部と、
前記浄水貯留部内の浄水の注ぎ口と、
前記本体容器に設けられ前記浄水と添加物とを攪拌する攪拌手段と、を備えている、
浄水器。
【請求項２】
前記攪拌手段が、前記浄水貯留部と注ぎ口との間に設けられている、
請求項１に記載の浄水器。
【請求項３】
前記攪拌手段が、前記浄水貯留部から前記注ぎ口に向けて断面積が狭くなっていくインラインミキサによって構成されている、
請求項２に記載の浄水器。
【請求項４】
前記攪拌手段が、前記浄水貯留部内に設けられている、
請求項１に記載の浄水器。
【請求項５】
前記攪拌手段が、回転羽根を備えている、
請求項４に記載の浄水器。
【請求項６】
前記攪拌手段が、棒状部材および該棒状部材の下端に連結された攪拌板を備えている、
請求項４に記載の浄水器。
【請求項７】
前記棒状部材が、前記浄水貯留部の前記注ぎ口とは反対側の位置に配置されている、
請求項６に記載の浄水器。
【請求項８】
前記攪拌板が前記浄水カートリッジに衝突するのを防止するための衝突防止部材を備えている、
請求項６または７に記載の浄水器。
【請求項９】
前記浄水カートリッジの下方側に、逆流軽減手段を備えている、
請求項１〜８のいずれか１項に記載の浄水器。
【請求項１０】
前記逆流軽減手段が逆止弁を備えている、
請求項９に記載の浄水器。
【請求項１１】
混合液の液跳ね防止手段を備えている、
請求項１〜１０のいずれか１項に記載の浄水器。
【請求項１２】
前記混合液の液跳ね防止手段が邪魔板を備えている、
請求項１１に記載の浄水器。
【請求項１３】
一枚の邪魔板が他方の邪魔板を覆っている、
請求項１１または請求項１２に記載の浄水器。
【請求項１４】
筒状の添加物収納容器と該添加物収納容器の一端部に設けられ添加物供給口を有するノズルとを有し、添加物を前記浄水貯留部内に添加する、添加手段を備えている、
請求項１〜１３のいずれか１項に記載の浄水器。
【請求項１５】
前記開口を開閉自在に閉鎖する蓋を備えている、
請求項１〜１４のいずれか１項に記載の浄水器。
【手続補正２】
【補正対象書類名】明細書
【補正対象項目名】０００７
【補正方法】変更
【補正の内容】
【０００７】
本発明によれば、ポット型の浄水器であって、内部空間を有し上部に開口を有する本体容器と、前記内部空間の上部に設けられた原水貯留部と、該原水貯留部に連通して設けられた浄水カートリッジと、前記浄水カートリッジの下方に設けられ前記浄水カートリッジで濾過された浄水を収容する浄水貯留部と、前記浄水貯留部内の浄水の注ぎ口と、前記本体容器に設けられ前記浄水と添加物とを攪拌する攪拌手段と、を備えている、ことを特徴とする浄水器が提供される。
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
ポット型の浄水器であって、
内部空間を有し上部に開口を有する本体容器と、
前記内部空間の上部に設けられた原水貯留部と、
該原水貯留部に連通して設けられた浄水カートリッジと、
前記浄水カートリッジの下方に設けられ前記浄水カートリッジで濾過された浄水を収容する浄水貯留部と、
前記浄水貯留部内の浄水の注ぎ口と、
前記本体容器に設けられ前記浄水と添加物とを攪拌する攪拌手段と、を備えている、
浄水器。
【請求項２】
前記攪拌手段が、前記浄水貯留部と注ぎ口との間に設けられている、
請求項１に記載の浄水器。
【請求項３】
前記攪拌手段が、前記浄水貯留部から前記注ぎ口に向けて断面積が狭くなっていくインラインミキサによって構成されている、
請求項２に記載の浄水器。
【請求項４】
前記攪拌手段が、前記浄水貯留部内に設けられている、
請求項１に記載の浄水器。
【請求項５】
前記攪拌手段が、回転羽根を備えている、
請求項４に記載の浄水器。
【請求項６】
前記攪拌手段が、棒状部材および該棒状部材の下端に連結された攪拌板を備えている、  請求項４に記載の浄水器。
【請求項７】
前記棒状部材が、前記浄水貯留部の前記注ぎ口とは反対側の位置に配置されている、
請求項６に記載の浄水器。
【請求項８】
前記攪拌板が前記浄水カートリッジに衝突するのを防止するための衝突防止部材を備えている、
請求項６または７に記載の浄水器。
【請求項９】
前記浄水カートリッジの下方側に、逆流軽減手段を備えている、
請求項１〜８のいずれか１項に記載の浄水器。
【請求項１０】
前記逆流軽減手段が逆止弁を備えている、
請求項９に記載の浄水器。
【請求項１１】
混合液の液跳ね防止手段を備えている、
請求項１〜１０のいずれか１項に記載の浄水器。
【請求項１２】
前記混合液の液跳ね防止手段が邪魔板を備えている、
請求項１１に記載の浄水器。
【請求項１３】
一枚の邪魔板が他方の邪魔板を覆っている、
請求項１２に記載の浄水器。
【請求項１４】
筒状の添加物収納容器と該添加物収納容器の一端部に設けられ添加物供給口を有するノズルとを有し、添加物を前記浄水貯留部内に添加する、添加手段を備えている、
請求項１〜１３のいずれか１項に記載の浄水器。
【請求項１５】
前記開口を開閉自在に閉鎖する蓋を備えている、
請求項１〜１４のいずれか１項に記載の浄水器。
【国際調査報告】
2014014088.tif 000013
2014014088.tif 000014
2014014088.tif 000015
2014014088.tif 000016